(57)【要約】【課題】大型化，複雑化することなく除湿運転以外の送風運転等の運転効率を高めることができる屋内用除湿装置を提供する。【解決手段】循環ファン５と除湿ローター９が設けられて除湿運転時に浴室１内の空気を吸入し再び浴室１に戻す循環風路６と、再生ヒーター１０が内部に設けられて除湿ローター９を再生させる再生風路７とを備え、循環ファン５，除湿ローター９及び再生ヒーター１０を同時に運転させる除湿運転とは別に、除湿ローター９を停止させた運転も可能に構成され、除湿ローター９には、バイパス風路となる切欠部９ａまたは孔が設けられ、切欠部９ａまたは孔が送風運転時等に循環風路６または再生風路７内に停止される。【選択図】図２
2012091128.tif 000002
【特許請求の範囲】
【請求項１】
循環ファンと除湿ローターが設けられて除湿運転時に除湿対象空間の空気を吸入し再び除湿対象空間に戻す循環風路と、再生ヒーターが内部に設けられて前記除湿ローターを再生させる再生風路とを備え、前記循環ファン，除湿ローター及び再生ヒーターを同時に運転させる除湿運転とは別に、除湿ローターを停止させた運転も可能な屋内用除湿装置であって、
前記除湿ローターにはバイパス風路となる切欠部または孔が設けられていることを特徴とする屋内用除湿装置。
【請求項２】
前記除湿運転以外の時は、前記除湿ローターの切欠部または孔を前記循環風路内または前記再生風路内に停止させるように回転制御する除湿ローターの制御手段を備えた請求項１に記載の屋内用除湿装置。
【請求項３】
前記制御手段は、除湿運転時には、前記除湿ローターを低速で回転させるとともに、前記切欠部または孔が前記再生風路または循環風路に入った瞬間から当該風路を出るまでは該除湿ローターを高速回転させるように制御する手段である請求項２に記載の屋内用除湿装置。
【請求項４】
前記除湿ローターは、前記切欠部または孔に相当する中心角をγとすると、前記循環風路内に位置する除湿処理ゾーンと、前記再生風路内に位置する再生処理ゾーンとは角度γ以上離れて配設され、前記除湿処理ゾーンの中心角をα，前記再生処理ゾーンの中心角をβとする時、α＋β＋３γ＜３６０°，γ≦α，γ≦βの何れの関係も成り立つような形状の除湿処理ゾーンと再生処理ゾーンを備えている請求項１または請求項２または請求項３に記載の屋内用除湿装置。
【発明の詳細な説明】
【技術分野】
【０００１】
本発明は、屋内用の除湿装置に関するものである。
【背景技術】
【０００２】
従来、特許文献１に開示されているように、除湿ローターを通過させて除湿する除湿風路の途中のファンの下流側で、除湿風路から暖房用風路および換気用風路を分岐させ、ダンパー切り替えにより、一つのファンで除湿，換気，暖房運転ができるように構成した除湿乾燥装置が存在する。
【先行技術文献】
【特許文献】
【０００３】
【特許文献１】特許第３１５２５８５号公報
【発明の概要】
【発明が解決しようとする課題】
【０００４】
上記特許文献１に開示されている除湿乾燥装置の構造では、除湿風路，換気風路，暖房風路のそれぞれにファンを設けた構造のものよりはファンが一つであるために装置が簡素化されて小型なものとなるが、それでも、風路の分岐と複数のダンパー機構を備える必要があり、構造が複雑なものとなっており、より構造が簡素化して小型化できる除湿乾燥装置の出現が望まれていた。
【課題を解決するための手段】
【０００５】
本発明は、大型化，複雑化することなく運転効率を高めることのできる屋内用除湿装置の提供を目的とし、この目的の少なくとも一部を達成するために以下の手段を採った。
本発明は、循環ファンと除湿ローターが設けられて除湿運転時に除湿対象空間の空気を吸入し再び除湿対象空間に戻す循環風路と、再生ヒーターが内部に設けられて前記除湿ローターを再生させる再生風路とを備え、前記循環ファン，除湿ローター及び再生ヒーターを同時に運転させる除湿運転とは別に、除湿ローターを停止させた運転も可能な屋内用除湿装置であって、
前記除湿ローターにはバイパス風路となる切欠部または孔が設けられていることを要旨とする。
【発明の効果】
【０００６】
本発明の屋内用除湿装置では、除湿運転以外の例えば送風運転時等には、除湿ローターの切欠部または孔を通して圧力損失を低減させて送風することができ、送風運転時に循環風路あるいは再生風路を利用することができ、別途、送風用の風路を設ける必要がないため、複雑化することなく小型化させることができるものとなる。
【０００７】
また、本発明の屋内用除湿装置において、前記除湿運転以外の時は、前記除湿ローターの切欠部または孔を前記循環風路内または前記再生風路内に停止させるように回転制御する除湿ローターの制御手段を備えたものとすることもできる。
こうすれば、例えば送風運転時等には、循環風路内または再生風路内に除湿ローターの切欠部または孔を停止させて、切欠部または孔を通して圧力損失を低減させて送風することができるものとなる。
【０００８】
また、本発明の屋内用除湿装置において、前記制御手段は、除湿運転時には、前記除湿ローターを低速で回転させるとともに、前記切欠部または孔が前記再生風路または循環風路に入った瞬間から当該風路を出るまでは該除湿ローターを高速回転させるように制御する手段であるものとすることもできる。
こうすれば、除湿運転時には、切欠部または孔が再生風路または循環風路内に位置する時間を短くして、除湿運転時に除湿ローターによる除湿機能を十分発揮させることができるものとなる。
【０００９】
また、本発明の屋内用除湿装置において、前記除湿ローターは、前記切欠部または孔に相当する中心角をγとすると、前記循環風路内に位置する除湿処理ゾーンと、前記再生風路内に位置する再生処理ゾーンとは角度γ以上離れて配設され、前記除湿処理ゾーンの中心角をα，前記再生処理ゾーンの中心角をβとする時、α＋β＋３γ＜３６０°，γ≦α，γ≦βの何れの関係も成り立つような形状の除湿処理ゾーンと再生処理ゾーンを備えているものとすることもできる。
こうすれば、除湿運転およびその他の送風運転等を効率良く行えるものとなる。
【図面の簡単な説明】
【００１０】
【図１】除湿装置を備えた浴室の斜視構成図である。
【図２】除湿装置の内部構造を示す概略構成図である。
【図３】暖房運転の場合の除湿装置の概略構成図である。
【図４】切欠部を有する除湿ローターの斜視図である。
【図５】切欠部を有する除湿ローターの正面構成図である。
【図６】孔を有する除湿ローターの斜視図である。
【図７】孔を有する除湿ローターの正面構成図である。
【図８】除湿ローターにおける切欠部または孔と除湿処理ゾーンおよび再生処理ゾーンの配置構成図である。
【図９】除湿ローターにおける切欠部または孔と除湿処理ゾーンと再生処理ゾーンとの関係を示す説明図である。
【図１０】除湿ローターにおける除湿処理ゾーンと再生処理ゾーンを高速で通過する部分を示す説明図である。
【発明を実施するための形態】
【００１１】
次に、本発明を実施するための形態を実施例を用いて説明する。
図１は、浴室の斜視構成図であり、浴槽２を備えた浴室１の天井１ａには、下向きに開口した吸込口３ａと吹出口３ｂを有する除湿装置３が設置されており、この除湿装置３に、屋外へ通じる排出風路４が接続されている。
【００１２】
図２は、除湿装置３の内部構造の概略構成図である。
除湿装置３内には、吸込口３ａの近傍に、大型のシロッコファンで構成された循環ファン５が設けられており、この循環ファン５の下流側には切替ダンパー８が設けられ、この切替ダンパー８から分岐して、循環風路６と再生風路７がそれぞれ密閉状の別々の風路として形成されており、循環風路６内と再生風路７内に跨るようにして回転可能に除湿ローター９が配置されている。
また、再生風路７内の除湿ローター９の上流側には再生ヒーター１０が設けられている。この再生風路７の下流端に前記排出風路４が接続されている。
なお、図２は概略構成図であるため、縦方向に除湿ローター９を配置しているが、屋内の天井等に設置する際には横方向に配置するのが好ましい。
【００１３】
除湿ローター９には、図４の斜視図で、また図５の正面構成図で示すように、除湿ローター９の中心を頂点とする扇形状の切欠部９ａが切り欠いて形成されている。
なお、除湿ローター９には、図６の斜視図で、また図７の正面構成図で示すように、切欠部９ａに替えて、孔９ｈを形成させておいても良い。
【００１４】
このような構造の除湿装置３では、循環ファン５が回転することにより浴室１内の湿った空気が吸込口３ａから吸い込まれて、切替ダンパー８を介して循環風路６と再生風路７に送出される。
なお、循環風路６内に送出される風量と、再生風路７内に送出される風量が、例えば１６：１程度になるように切替ダンパー８が制御される。
循環風路６内に流入された湿った空気は除湿ローター９を通るが、この除湿ローター９はシリカゲルやゼオライト等の吸湿材料でハニカム状に形成されたものであるため、湿った空気中の水分を良好に吸着し、除湿ローター９を通過後には乾燥した空気となって、再び吹出口３ｂから浴室１内に戻されて、浴室１内が除湿されてゆく。
同時に、再生風路７に送出された空気は、再生ヒーター１０を通ることで加熱され、加熱された空気が除湿ローター９を通る時に、除湿ローター９内の水分が水蒸気となって放出され、この水蒸気を含んだ空気は、排出風路４を通り屋外に排出されてゆく。このようにして除湿運転が連続して行われて浴室１内が良好に乾燥される。
【００１５】
なお、この場合、除湿運転を効率良く行うために、即ち、除湿ローター９による除湿および再生が効率良く行われるために、除湿ローター９は制御手段により回転が制御される。
即ち、除湿運転時には除湿ローター９は低速で回転されるが、除湿ローター９の切欠部９ａまたは孔９ｈが、循環風路６または再生風路７内に入った瞬間から当該風路６，７を出るまでは、除湿ローター９が高速で回転されて、切欠部９ａまたは孔９ｈが循環風路６内あるいは再生風路７内に留まる時間が極めて短くなるように回転制御が行われる。そのため、除湿ローター９による除湿および再生が効率良く行われるのである。
【００１６】
なお、除湿装置３を送風運転する時には、除湿ローター９の回転が止められ、再生ヒーター１０がＯＦＦ状態となり、切替ダンパー８は、再生風路７側を閉じて循環風路６側に開く。この時に、除湿ローター９の切欠部９ａまたは孔９ｈが循環風路６内に位置するようにして除湿ローター９は停止される。
この状態では、循環ファン５の回転により、吸込口３ａから吸い込まれた空気は循環風路６に送出され、除湿ローター９の切欠部９ａまたは孔９ｈを通過して、吹出口３ｂから再び浴室１内に吹き出され、浴室１内に送風が行われる。
このように切欠部９ａまたは孔９ｈを通過するために、送風運転時における圧力損失は少なく、効率良く送風運転を行えるものとなる。
【００１７】
また、換気運転する場合には、除湿ローター９の切欠部９ａまたは孔９ｈが再生風路７内に位置するようにして除湿ローター９は停止され、再生ヒーター１０はＯＦＦされて、切替ダンパー８は循環風路６を閉じて再生風路７側へ開けられる。
この状態では、循環ファン５から送出される風は、再生風路７を通り、除湿ローター９の切欠部９ａまたは孔９ｈを通過して、排出風路４を通り屋外に排出される。この場合にも、循環ファン５から送出される風が切欠部９ａまたは孔９ｈを通ることにより、除湿ローター９には当たらないために、送風の圧力損失は少ないものとなり、良好に換気が行われるものである。
【００１８】
なお、除湿装置３を暖房運転する場合は、図３に示すように、排出風路４に切替ダンパー１１を設けて、切替ダンパー１１を介し、吹出口３ｂから浴室１内に送風が行われるように構成する。
暖房運転では、除湿ローター９の切欠部９ａまたは孔９ｈが再生風路７内に位置するようにして除湿ローター９は停止され、再生ヒーター１０はＯＮされて、切替ダンパー８は循環風路６を閉じて再生風路７側へ開けられる。
この状態では、循環ファン５の回転により、吸込口３ａから吸い込まれた空気は再生風路７に送出され、再生ヒーター１０により暖められて、除湿ローター９の切欠部９ａまたは孔９ｈを通過して、吹出口３ｂから浴室１内に吹き出される。
このように切欠部９ａまたは孔９ｈを通過するために、暖房運転時における圧力損失は少なく、効率良く暖房運転を行えるものとなる。
【００１９】
なお、除湿ローター９における、切欠部９ａまたは孔９ｈと、循環風路６内に配置される除湿処理ゾーン９ｂと、再生風路７内に配置される再生処理ゾーン９ｃとの関係は図８に示す。
図８に示すように、切欠部９ａまたは孔９ｈに相当する中心角をγとすると、循環風路６内に位置する除湿処理ゾーン９ｂと再生風路７内に位置する再生処理ゾーン９ｃとは、角度γ以上離れて配置されるように設定されている。
【００２０】
また、図９の説明図で示すように、除湿処理ゾーン９ｂの中心角をαとし、再生処理ゾーン９ｃの中心角βとした時に、α＋β＋３γ＜３６０°，γ≦α，γ≦βの何れの関係も成り立つように設定されている。
なお、除湿運転時に除湿ローター９が高速で回転される範囲、即ち、切欠部９ａまたは孔９ｈが循環風路６と再生風路７内を高速で通過する範囲は、図１０に９Ｐで示す部分となるように設定されている。
【００２１】
このような関係に除湿ローター９の切欠部９ａまたは孔９ｈと除湿処理ゾーン９ｂと再生処理ゾーン９ｃを配置したことにより、除湿ローター９は、除湿運転時には効率の良い除湿機能を発揮できるとともに、送風運転，換気運転あるいは暖房運転時には、切欠部９ａまたは孔９ｈを循環風路６あるいは再生風路７内に確実に配置させて、送風の圧力損失を低減させ、効率良く送風運転，換気運転あるいは暖房運転ができるものとなる。
【００２２】
このように本例では、送風運転，換気運転あるいは暖房運転用の別の送風風路や換気風路は設けられておらず、送風運転，換気運転あるいは暖房運転は、循環風路６あるいは再生風路７を利用できるため、装置全体が小型なものとなり、循環ファン５は１個で済むため、構造が簡素化して、運転効率の良好な小型の除湿装置３となる。
なお、本発明の除湿装置３は、実施例に記載した浴室１の他、衣服収納室，洗面室，更衣室あるいは地下室などの高湿雰囲気の密閉室内にも使用することができる。
【符号の説明】
【００２３】
１  浴室
３  除湿装置
３ａ  吸込口
３ｂ  吹出口
４  排出風路
５  循環ファン
６  循環風路
７  再生風路
８  切替ダンパー
９  除湿ローター
９ａ  切欠部
９ｂ  除湿処理ゾーン
９ｃ  再生処理ゾーン
９ｈ  孔
１０  再生ヒーター
１１  切替ダンパー
【図１】
2012091128.tif 000003
【図２】
2012091128.tif 000004
【図３】
2012091128.tif 000005
【図４】
2012091128.tif 000006
【図５】
2012091128.tif 000007
【図６】
2012091128.tif 000008
【図７】
2012091128.tif 000009
【図８】
2012091128.tif 000010
【図９】
2012091128.tif 000011
【図１０】
2012091128.tif 000012